(57)【要約】【課題】  細かな部品を紛失することなく容易にバンドをケース本体から取り外すことができ、これによって、新たなバンドと交換し易い腕時計とすることができる。【解決手段】  ケース本体側連結部１２とバンド側連結部３２と連結させる連結構造であって、棒状部材６０を、これらの連結部１２，３２に設けられる嵌挿孔１３と軸受孔３５とに嵌挿させる。このケース本体側連結部１２に設けられる嵌挿孔１３には、この嵌挿孔１２の内径より小さい内径で構成される開口溝１４が設けられており、また、棒状部材６０は、移動可能とされ、この開口溝１４の内径より大きな外径で構成される大径部６１と、この開口溝１４の内径より小さな外径で構成される小径部６２とが設けられている。【選択図】  図７
2006288814.tif 000002
【特許請求の範囲】
【請求項１】
ケース本体の外縁に突出してなるケース本体側連結部と、バンドの端部に前記ケース本体側連結部と嵌め合わせ可能な凹部を有するバンド側連結部とを含むケース本体とバンドの連結構造であって、
前記バンド側連結部には、前記凹部を形成する両側の軸受突出部に前記バンド幅方向に連通され一端が開口された軸受孔が設けられ、
前記ケース本体側連結部には、前記軸受孔と同軸上に連通される嵌挿孔と、該嵌挿孔に沿って該嵌挿孔の内径より小さく構成され外方に開口される開口溝とが設けられ、
前記バンド側連結部の開口された前記一端とは逆側の他端側の前記軸受孔内に配置されたバネ部材と、前記嵌挿孔と嵌め合わせ可能且つ前記開口溝の内径より大に設定された大径部と、前記開口溝の内径より小に設定された小径部とを有した棒状部材が、前記軸受孔に抜け止め部材を有して配置され、
前記棒状部材が前記抜け止め部材に当接して停止している場合には、前記大径部が前記凹部に露出されて前記嵌挿孔に嵌挿された状態となって、前記バンド側連結部と前記ケース本体側連結部とを連結し、
前記棒状部材が前記バネ部材を圧縮して移動した場合には、前記大径部が前記軸受孔に退入されて前記小径部のみが前記凹部に露出されて前記嵌挿孔に嵌挿された状態となって、前記開口溝から前記小径部をすり抜いて前記バンド側連結部と前記ケース本体側連結部との連結を解除することを特徴とするケース本体とバンドの連結構造。
【請求項２】
請求項１に記載のケース本体とバンドの連結構造において、
前記ケース本体側連結部及び前記バンド側連結部の前記凹部が、複数組で構成されていることを特徴とするケース本体とバンドの連結構造。
【請求項３】
請求項１または請求項２に記載のケース本体とバンドの連結構造において、
前記棒状部材の前記一端が、外部に露出されないように前記軸受孔内で停止されていることを特徴とするケース本体とバンドの連結構造。
【請求項４】
請求項１から請求項３のうち何れか一項に記載のケース本体とバンドの連結構造において、
前記バンドが複数の種類で予め用意され、これら複数の種類で用意された前記バンドと、前記ケース本体に連結されているバンドとを交換可能にされていることを特徴とするケース本体とバンドの連結構造。
【発明の詳細な説明】
【技術分野】
【０００１】
本発明は、腕時計のケース本体とバンドの連結構造に関する。
【背景技術】
【０００２】
腕時計は、一般に、各種の時計部品が組み込まれるケース本体と、そのケース本体を手首に巻きつけるためのバンドとから構成されている。このケース本体とバンドとは、これら双方に設けられた嵌挿孔に棒状部材を嵌挿して互いを回動可能に連結する、所謂ヒンジ結合によって連結されたものとなっている（特許文献１参照、特に図２１及び図２２参照）。
【０００３】
一方、この棒状部材にあっては、一般に、バンド側の嵌挿孔に嵌挿される筒部材と、ケース本体側の嵌挿孔に嵌挿される端部材とから構成されており、この端部材は、筒部材の内部に設けられたバネ部材によって外方に付勢されたものとなっている。このように構成された棒状部材は、バンド側の嵌挿孔及びケース本体側の嵌挿孔の双方に好適に嵌挿できるものとなっており、このように棒状部材が嵌挿されることによって、これらケース本体とバンドとは好適に連結されるものとなっていた。
【特許文献１】特開２００４−６５７０５号公報
【発明の開示】
【発明が解決しようとする課題】
【０００４】
しかしながら、このような連結構造は、例えば、古いバンドから新しいバンドに交換する場合等において、ケース本体とバンドとを別々に切り離した際に、互いを連結していた棒状部材までもがケース本体及びバンドから切り離されてしまうものとなっている。また、棒状部材は、非常に小さく構成されているので、上述したように、古いバンドから新しいバンドに交換する場合等において、ケース本体とバンドとが切り離されたものとなってしまうと、その棒状部材は紛失され易いものとなってしまうきらいがあった。
【０００５】
本発明は、このような事情に鑑みなされたものであって、腕時計のバンドを交換したい場合のような、ケース本体とバンドとの連結を解除する場合にあっても、細かな部品を紛失することなく容易にバンドをケース本体から取り外すことができ、これによって、新たなバンドと交換し易い腕時計とすることができる、ケース本体とバンドの連結構造を提供することを目的としている。
【課題を解決するための手段】
【０００６】
このような目的を達成するために、本発明は、以下の手段のケース本体とバンドの連結構造を提供する。
請求項１に係る発明は、ケース本体の外縁に突出してなるケース本体側連結部と、バンドの端部に前記ケース本体側連結部と嵌め合わせ可能な凹部を有するバンド側連結部とを含むケース本体とバンドの連結構造であって、前記バンド側連結部には、前記凹部を形成する両側の軸受突出部に前記バンド幅方向に連通され一端が開口された軸受孔が設けられ、前記ケース本体側連結部には、前記軸受孔と同軸上に連通される嵌挿孔と、該嵌挿孔に沿って該嵌挿孔の内径より小さく構成され外方に開口される開口溝とが設けられ、前記バンド側連結部の開口された前記一端とは逆側の他端側の前記軸受孔内に配置されたバネ部材と、前記嵌挿孔と嵌め合わせ可能且つ前記開口溝の内径より大に設定された大径部と、前記開口溝の内径より小に設定された小径部とを有した棒状部材が、前記軸受孔に抜け止め部材を有して配置され、前記棒状部材が前記抜け止め部材に当接して停止している場合には、前記大径部が前記凹部に露出されて前記嵌挿孔に嵌挿された状態となって、前記バンド側連結部と前記ケース本体側連結部とを連結し、前記棒状部材が前記バネ部材を圧縮して移動した場合には、前記大径部が前記軸受孔に退入されて前記小径部のみが前記凹部に露出されて前記嵌挿孔に嵌挿された状態となって、前記開口溝から前記小径部をすり抜いて前記バンド側連結部と前記ケース本体側連結部との連結を解除することを特徴とする。
【０００７】
本発明に係るケース本体とバンドの連結構造にあっては、棒状部材が抜け止め部材に当接して停止している場合には、この棒状部材のうち大径部が凹部に露出される。これによって、この露出された大径部は、この凹部に配置され軸受孔と同軸上に連通されるケース本体側連結部の嵌挿孔に、好適に嵌挿された状態となる。ここで、この大径部は、ケース本体側連結部の嵌挿孔に嵌め合わせ可能であり、開口溝の内径より大に設定されている。これによって、この大径部は、開口溝から抜けてしまうことなく、ケース本体側連結部の嵌挿孔に好ましく嵌め合わされて抜けないものとなる。このようにして、バンド側連結部とケース本体側連結部とは、好適に連結される。
【０００８】
これに対し、棒状部材がバネ部材を圧縮して移動した場合には、大径部が軸受孔に退入されて小径部のみが凹部に露出されて、ケース本体側連結部の嵌挿孔に嵌挿された状態となる。ここで、この小径部は、ケース本体側連結部の開口溝の内径より小に設定された外径となっており、この開口溝からすり抜けることができる。これによって、ケース本体側連結部の嵌挿孔に嵌挿された小径部を、その嵌挿孔に沿って外方に開口する開口溝から小径部をすり抜くことができる。このようにして、バンド側連結部とケース本体側連結部との連結を、好適に解除できる。従って、簡単且つ素早く、バンドをケース本体から外すことができる。
【０００９】
請求項２に係る発明は、請求項１に記載のケース本体とバンドの連結構造において、
前記ケース本体側連結部及び前記バンド側連結部の前記凹部が、複数組で構成されていることを特徴とする。
【００１０】
本発明に係るケース本体とバンドの連結構造にあっては、ケース本体側連結部とバンド側連結部の凹部とが複数組で構成されているので、上述した大径部が嵌挿孔に複数組嵌挿されることとなって、複数点で支持を受けることによって曲がりが少ないものとなり、より安定的に、バンド側連結部をケース本体側連結部に連結させることができる。例えば、バンド側連結部をケース本体の中心軸線対称的に２つ設け、さらに、凹部をバンドの中心軸線対称的に設けた場合には、１つだけ設けた場合に比してバランス良くバンド側連結部とケース本体側連結部とが連結されることとなって傾き難くなり、互いは好ましく連結される。
【００１１】
請求項３に係る発明は、請求項１または請求項２に記載のケース本体とバンドの連結構造において、前記棒状部材の前記一端が、外部に露出されないように前記軸受孔内で停止されていることを特徴とする。
【００１２】
本発明に係るケース本体とバンドの連結構造にあっては、棒状部材の一端が、外部に露出されないように軸受孔内で停止されているので、適宜の工具を用いなければ、この棒状部材の一端に触れることができない。つまり、ユーザが、このケース本体とバンドの連結構造を含む腕時計を使用している場合にあっても、この棒状部材の一端を、誤って押してしまわないものとなる。これによって、使用時に、ケース本体とバンドとの連結が解除され難いものとなる。また、この棒状部材は、その一端のみを押せば、ケース本体とバンドとの連結を好ましく解除することができる。従って、この棒状部材の一端が外部に露出されないように構成されていても、簡単且つ素早く、このケース本体とバンドとの連結を好ましく解除し、バンドをケース本体から外すことができ、さらに、棒状部材の端部が外部に露出されていないので、意匠的にも美しいものとなる。なお、この棒状部材の一端は、他端に向かって押した場合に、バネ部材を圧縮して棒状部材を他端に向かって移動させることができ、上述したようにケース本体とバンドとの連結を解除することができる。
【００１３】
請求項４に係る発明は、請求項１から請求項３のうち何れか一項に記載のケース本体とバンドの連結構造において、前記バンドが複数の種類で予め用意され、これら複数の種類で用意された前記バンドと、前記ケース本体に連結されているバンドとを交換可能にされていることを特徴とする。
【００１４】
本発明に係るケース本体とバンドの連結構造にあっては、細かな部品を紛失することなく、容易にケース本体からバンドを取り外して交換できる。これによって、例えば、バンドを予め複数の種類で用意して、ユーザの趣味趣向や気分に応じてバンドを選択させることができて、興趣が増して、多様なニーズに応じた腕時計を構成することができる。
【発明の効果】
【００１５】
本発明に係るケース本体とバンドの連結構造によれば、腕時計のバンドを交換したい場合のような、ケース本体とバンドとの連結を解除する場合にあっても、細かな部品を紛失することなく容易にバンドをケース本体から取り外すことができ、これによって、新たなバンドと交換し易い腕時計とすることができる。
【発明を実施するための最良の形態】
【００１６】
以下において、本発明に係るケース本体とバンドの連結構造の各種の実施形態について図を参照しながら説明する。
〔第１の実施の形態〕
図１における符号１は、本発明に係るケース本体とバンドの連結構造が採用された腕時計の斜視図である。この腕時計に採用されるケース本体１０とバンド３０の連結構造は、各種の時計部品が組み込まれるケース本体１０と、そのケース本体１０を手首に巻きつけるためのバンド３０とを連結させる構造に関するものである。なお、バンド３０は、一般的な腕時計と同様、図示されるように、１２時方向と６時方向とに延びるようにケース本体１０に取り付けられたものとなっている。
【００１７】
ケース本体１０は、図２の斜視図に示すように、各種の時計部品を内蔵可能な空間を形成する外枠となるものである。このケース本体１０は、外縁１１が正方形状に形成されており、その外縁１１のうち、１２時方向と６時方向とに２つずつ、突出してなるケース本体側連結部１２が設けられている。図３において、このケース本体側連結部１２を拡大して示す。図３（ａ）のケース本体１０の上面図に示すように、外縁１１と直交するように上側が曲面とされたケース本体側連結部１２が２つ設けられたものとなっている。このケース本体側連結部１２は、バンド３０の端部３１に設けられるバンド側連結部３２を構成する凹部３３と嵌め合わせ可能にされる個所となっている。
【００１８】
このケース本体側連結部１２は、図３（ｂ）の裏面図及び図４の側面図に示すように、バンド側連結部３０に設けられる軸受孔３５と同軸上で、嵌挿孔１３が設けられている。この嵌挿孔１３は、断面が円状となっており、バンド３０が取り付けられる方向と直交する方向に延在し、連通されて設けられている。この嵌挿孔１３は、後述する棒状部材６０が嵌挿される個所であり、この棒状部材６０の大径部６１の外径W１が好適に嵌る程度の内径D１で設けられている（Ｗ１＜Ｄ１）。
【００１９】
さらに、この嵌挿孔１３には、この嵌挿孔１３に沿って外方に開口される開口溝１４が設けられている。この開口溝１４は、嵌挿孔１３の内径D１より小さい内径（幅）D２で構成されている。さらに、この開口溝１４の内径D２は、棒状部材６０の大径部６１の外径W１より小さく構成されると共に、棒状部材６０の小径部６２の外径W２より大きく構成されている（W２＜D２＜W１）。また、この大径部６１は、この棒状部材６０の長さ方向の長さが幅Ｗ４と設定されて構成されている。この幅Ｗ４は、後に説明するバネ部材６６が圧縮された際に、棒状部材６０自身が縮む量より僅かに小さく設定されたものとなっている。
【００２０】
バンド３０の端部３１には、図５に示すように、バンド側連結部３２が設けられている。このバンド側連結部３２は、このバンド３０の軸線で対称に凹部３３が２個所設けられている。この凹部３３は、上述したケース本体側連結部１２が嵌め込まれる個所となっており、この２つの凹部３３を形成するように、軸受突出部３４（３４ａ，３４ｂ，３４ｃ）が形成されている。この軸受突出部３４には、このバンド３０の幅方向に連通された軸受孔３５が設けられている。なお、この軸受孔３５は、上述した嵌挿孔１３と同軸上となっている。
【００２１】
この軸受孔３５（３５ａ，３５ｂ，３５ｃ）の一端にあっては、外方に開口された開口部３６が設けられており、また他端は閉鎖されて閉じた状態となっている。さらに、この軸受孔３５の内径は、上述した棒状部材６０の支柱部６３の外径Ｗ３に合わせた内径で構成されており、このように構成されることによって、棒状部材６０は、この軸受孔３５内で安定的に移動可能となっている。さらに、この軸受孔３５には、棒状部材６０が、この軸受孔３５から抜けてしまうことを防止するピン部材（抜け止め部材）３８を圧入するためのピン孔３７が、このバンド側連結部３２の外面から軸受孔３５内に侵入可能に設けられている。なお、このバンド３０の中間部等にあっては、通常の時計バンドと同様に、手首に巻きつけることが可能な長尺の鎖状に構成されたものとなっている。なお、このバンド３０における鎖状の装飾性についての図示は省略されている。
【００２２】
棒状部材６０は、上述したように大径部６１、小径部６２、支柱部６３を有するのに加え、押圧板部６４、ピン当接部６５、及びバネ部材６６を有してなる。具体的には、棒状部材６０は、図６に示すように、その中間部に、支柱部６３が設けられている。この支柱部６３は、上述した第２軸受突出部３４ｂの第２軸受孔３５ｂ内に配置されるものであって、この第２軸受孔３５ｂ内で好ましく移動できるように、孔の内径に合わせられた外径Ｗ３で構成されたものとなっている。また、図６中、この支柱部６３の左方には、第１小径部６２ａと第１大径部６１ａとが連なって設けられている。この第１小径部６２ａは外径D２で構成され、第１大径部６２ａは外径D１で構成されている。この第１大径部６２ａのさらに左方には、バネ部材６６が連なって設けられている。
【００２３】
前記バネ部材６６は、図６に示すように、筒状に構成される外装体６６ａに、コイルバネ６６ｂが内蔵されて構成されている。このコイルバネ６６ｂは、一端が外装体６６ａの端部に当接すると共に、他端が第１大径部６１ａに隣接し且つ外装体６６ａ内に配置されるバネ当接板部６６ｃに当接している。なお、このバネ部材６６の外径は、後に説明するピン当接部６５及び押圧板部６４と同様に、支柱部６３と同一の外径Ｗ３で構成されたものとなっている。このように棒状部材６０の各部が、軸受孔３５の内径に合わされた支柱部６３の外径Ｗ３と同一の大きさで構成されることにより、この棒状部材６０は、前記軸受孔３５内で各部の周囲が接することとなって安定的に移動可能なものとなっている。
【００２４】
また、図６中、前記支柱部６３の右方には、第２大径部６１ｂと第２小径部６２ｂとが連なって設けられている。この第２大径部６２ｂは外径D１で構成され、第２小径部６２ｂは外径D２で構成されている。さらに、この第２小径部６２ｂの右方には、ピン当接部６５と押圧板部６４とが連なって設けられている。このピン当接部６５は、外径が小さく構成される当接小径部６５ａと、ピンと当接する当接板部６５ｂとからなる。また、押圧板部６４は、外面に凹状部６４ａが設けられており、適宜の押出道具の先端が嵌まり易いように構成されている。なお、この当接板部６５ｂにあっては、適宜の幅を選択することができる。
【００２５】
このように構成された棒状部材６０は、図５に示し説明したバンド側連結部３２の軸受孔３５と、図３に示し説明したケース本体側連結部１２の嵌挿孔１３に嵌挿される。つまり、図７（ａ）及び図７（ｂ）に示すように、ケース本体側連結部１２とバンド側連結部３２とを連結するように、同軸上に配される軸受孔３５と嵌挿孔１３とに、嵌挿される。そして、前記ピン孔３７には、ピン部材３８が圧入される。このピン部材３８は、図８（ａ）、及びそのＡ−Ａ矢視の図８（ｂ）に示すように、嵌挿孔３５ｃ内において、上述したピン当接部６５の当接小径部６５ａと当接板部６５ｂと接触するように位置している。なお、このピン部材３８は、本発明における抜け止め部材に相当する。
【００２６】
このように構成されたケース本体１０とバンド３０との連結構造は、次のような作用を奏する。
すなわち、前記バンド側連結部３２とケース本体側連結部１２とは、これらの軸受孔３５内と嵌挿孔１３内とに嵌挿される棒状部材６０によって連結される。つまり、図７に示すように、棒状部材６０自身は、バネ部材６６によって伸ばされた状態となっている。この伸ばされた状態では、当接板部６５ｂをピン部材３８に当接させる。このようにして、棒状部材６０は、安定的に停止する。この停止状態においては、この棒状部材６０の端部とされる押圧板部６４が、前記軸受孔３５内に入り込んだままとなっている。言い換えれば、このバンド側連結部３２の外部には露出されていないものとなっている。これによって、この押圧板部６４は、外部から簡単に押圧できず、通常時においては、この棒状部材６０は安定的に停止したものとなっている。
【００２７】
そして、この棒状部材６０が安定的に停止している場合には、この棒状部材６０の大径部６１（６１ａ，６１ｂ）が、凹部３３に露出される。これによって、この露出された大径部６１（６１ａ，６１ｂ）は、この凹部３３に配置されたケース本体側連結部１２の嵌挿孔１３に、好適に嵌挿された状態となる。ここで、図４及び図６に示すように、ケース本体側連結部１２の嵌挿孔１３にあっては、この棒状部材６０の大径部６１（６１ａ，６１ｂ）の外径Ｗ１に合わされた内径Ｄ２で構成されているので、この大径部６１は嵌挿孔１３に好ましく嵌められるものとなる。また、この大径部６１の外径はＷ１は、上述したように、開口溝１４の内径Ｄ２より大きく構成されたものとなっているので、この開口溝１４から抜けてしまうことがない。つまり、棒状部材６０は、バンド側連結部３２の軸受孔３５に保持されながら、ケース本体側連結部１２の嵌挿孔１３に好ましく嵌め合わされる。このようにして、バンド側連結部３２とケース本体側連結部１２とは、好適に連結される。
【００２８】
これに対し、前記押圧板部６４が内方に押されることにより、バネ部材６６が圧縮された場合には、棒状部材６０自身は、上述した伸びた状態から縮むようになる。これによって、前記大径部６１も移動して、この大径部６１は、この棒状部材６０を嵌挿する軸受突出部３４（３４ａ，３４ｂ）の軸受孔３５（３５ａ，３５ｂ）内に退入される。これに従い、この大径部６１に隣接する小径部６２が、このバンド側連結部３２の凹部３３に露出される。つまり、ケース本体側連結部１２の嵌挿孔１３に嵌挿された状態となる。ここで、この小径部６２は、ケース本体側連結部１０の開口溝１４の内径Ｄ２より小に設定され外径Ｗ２となっており、この開口溝１４からすり抜けることができる。これによって、ケース本体側連結部１２の嵌挿孔１３に嵌挿された小径部６２を、その嵌挿孔１３に沿って外方に開口する開口溝１４から小径部をすり抜くことができ、このようにして、バンド側連結部３２とケース本体側連結部１２との連結を、好適に解除される。従って、簡単且つ素早く、バンド３０をケース本体１０から外すことができる。
【００２９】
さらに、押圧板部６４は一端のみにしか設けていないので、一方向の押圧で、この連結が解除できるものとなっている。従って、押圧板部６４が露出されない構成であっても、ユーザは、一方向のみから押圧板部６４を押圧して、ケース本体１０とバンド３０との連結を簡単に解除することができる。
【００３０】
また、このケース本体１０とバンド３０の連結構造にあっては、ケース本体側連結部１２とバンド側連結部３２の凹部３３とが複数組とされる２組で構成されているので、上述した大径部６１が嵌挿孔１３に複数組嵌挿されることとなって、２点で支持を受けることによって曲がりが少ないものとなり、より安定的に、バンド側連結部３２をケース本体側連結部１２に連結させることができる。なお、このバンド連結部３２の凹部３３と大径部６１との組み合わせにあっては、ケース本体１０の中心軸線に対称的なものとなっているので、左右のバランスが良いものとなって傾き難くなり、互いは好ましく連結される。
【００３１】
また、このケース本体１０とバンド３０の連結構造にあっては、棒状部材６０の一端とされる押圧板部６４が、このバンド側連結部３２の軸受孔３５内で配置されるものとなっているので、外部に露出されていない。これによって、この押圧板部６４が誤って押されてしまうことが防止されることとなり、ケース本体１０とバンド３０との連結が誤って解除されてしまうことが防止される。また、この一端とされる押圧板部６４のみを押圧すれば、ケース本体１０とバンド３０との連結を好ましく解除することができる。また、意匠的にも美しくなる。
【００３２】
また、このようなケース本体１０とバンド３０の連結構造を採用して腕時計を構成した場合には、細かな部品を紛失することなく、容易にケース本体からバンドを取り外して交換できる。これによって、例えば、バンドを予め複数の種類で用意して、ユーザの趣味趣向や気分に応じてバンドを選択させることができて、興趣が増して、多様なニーズに応じた腕時計を構成することができるものとなる。なお、このケース本体１０とバンド３０の連結構造にあっては、上述の第１の実施の形態に限られず、以下のような実施の形態を採用するものであってもよい。
【００３３】
〔第２の実施の形態〕
例えば、上述した棒状部材６０にあっては、図９に示すように、上述のピン当接部６５を構成する当接板部６５ｂが幅広で構成されるものであってもよい。当接板部６５ｂが幅広で構成することによって、棒状部材６０の長さを適宜に選択し易いものとする。なお、上述した第１の実施の形態と同様に構成される個所については、同一の符号を付して、その説明を省略する。
【００３４】
このように棒状部材６０Ａを構成した場合には、バンド３０のバンド側連結部３２を、図１０のように構成する場合に好ましいものとなる。すなわち、図１０（ａ）及び図１０（ｂ）に示すバンド連結部３２Ａ，３２Ｂは、材質が皮革からなるバンド側連結部である、また、この（ａ）と（ｂ）とにおいては、互いの横幅が異なるように構成されたものとなっている。つまり、図１０（ａ）に示されるバンド側連結部３２Ａにあっては、その嵌挿孔３５に、上述の第１の実施の形態における棒状部材６０を好ましく嵌挿させることができ、図１０（ｂ）に示されるバンド側連結部３２Ｂにあっては、その嵌挿孔３５に、上述の第２の実施の形態における棒状部材６０Ａを好ましく嵌挿させることができるものとなっている。なお、上述した第１の実施の形態と同様に構成される個所については、同一の符号を付して、その説明を省略する。
【００３５】
〔第３の実施の形態〕
また、上述した第１の実施の形態と異なり、バンド側連結部３２の凹部３３を１つで構成するものであってもよい。また、上述した第１の実施の形態と異なり、押圧板部６４Ｂを軸受孔３５から露出されるように構成するものであってもよい。たとえば、図１１及び図１２に示すように、棒状部材６０Ｂにあっては、支柱部がなくされ、嵌め合わせ部６３Ｂが設けられている。さらに、ケース本体側連結部１２の嵌挿孔１３には、この嵌め合わせ部６３Ｂが抜けることが可能な適宜な個所に拡径部１４Ｂが設けられている。
【００３６】
このように構成した場合には、通常時においては、図１２（ａ）に示すように、嵌め合わせ部６３Ｂと大径部６１とは、嵌挿孔１３に好適に嵌挿されているものとなる。一方、図１２（ｂ）に示すように、押圧板部６４Ｂが押圧された場合には、嵌め合わせ部６３Ｂが拡径部１４Ｂに嵌め合わされることとなって、この棒状部材６０Ｂを抜き出すことができる。なお、上述した第１の実施の形態と同様に構成される個所については、同一の符号を付して、その説明を省略する。
【００３７】
〔第４の実施の形態〕
またさらに、上述の第３の実施の形態のように、押圧板部６４Ｃを軸受孔３５から露出されるように構成した場合にあっては、意匠性を鑑みて、中心軸線の対称個所に、押圧板部６４Ｃを模した模擬押圧板部６４Ｄが設けられるものであってもよい。このように構成した場合には、左右対称とされた特有の美観を有する。
【００３８】
なお、本発明は上記実施の形態に限定されるものではなく、本発明の趣旨を逸脱しない範囲において適宜の選択が可能である。例えば、上述したバネ部材６６は、コイルバネ６６ｂが内蔵されてなるものであったが、これに限定されず、適宜の弾性樹脂等が内蔵されるものであっても何ら問題のないものとされる。また、上述の実施の形態にあっては、バンド３０のバリエーションについて説明しなかったが、適宜複数種類のバンドを予め用意しておけば、興趣が向上した腕時計とすることができる。
【図面の簡単な説明】
【００３９】
【図１】本発明に係るケース本体とバンドの連結構造を採用した腕時計の斜視図である。
【図２】ケース本体の斜視図である。
【図３】ケース本体の部分上面図及び部分裏面図である。
【図４】ケース本体側連結部の側面図である。
【図５】バンド側連結部の一部断面図である。
【図６】棒状部材の一部断面図である。
【図７】ケース本体側連結部とバンド側連結部の連結を示す上面図及び側面図である。
【図８】棒状部材が嵌挿されたバンド側連結部の一部断面図及びＡ−Ａ矢視図である。
【図９】第２の実施の形態に関する棒状部材の一部断面図である。
【図１０】第２の実施の形態に関するバンド側連結部の上面図である。
【図１１】第３の実施の形態に関する棒状部材の一部断面図である。
【図１２】第３の実施の形態に関するケース本体側連結部とバンド側連結部の連結を示す断面図である。
【図１３】第４の実施の形態に関するケース本体側連結部とバンド側連結部の連結を示す断面図である。
【符号の説明】
【００４０】
１２  ケース本体側連結部
１３  嵌挿孔
１４  開口溝
３２  バンド側連結部
３５  軸受孔
６０  棒状部材
６１  大径部
６２  小径部
【図１】
2006288814.tif 000003
【図２】
2006288814.tif 000004
【図３】
2006288814.tif 000005
【図４】
2006288814.tif 000006
【図５】
2006288814.tif 000007
【図６】
2006288814.tif 000008
【図７】
2006288814.tif 000009
【図８】
2006288814.tif 000010
【図９】
2006288814.tif 000011
【図１０】
2006288814.tif 000012
【図１１】
2006288814.tif 000013
【図１２】
2006288814.tif 000014
【図１３】
2006288814.tif 000015